【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
電気制御部材（１１０）における電流、又は前記電気制御部材の端子間の電圧を制御する回路（１００，２００，３００，４００，６００，７００）であって、
−  ４つの端子（１０５，１０６，１０７，１０８）と、４つの制御スイッチ（ＡＨ，ＡＬ，ＢＨ，ＢＬ）を備えるブリッジと、
−  前記ブリッジのための電源（１０９）と、
−  パルス幅変調によって、前記４つのスイッチの中の少なくとも２つを制御する手段とを備え、
前記電源（１０９）は、前記ブリッジの第１の端子（１０５）及び第２の端子（１０６）の間で接続され、
前記電気制御部材（１１０）は、前記ブリッジの第３の端子（１０７）及び第４の端子（１０８）の間で接続され、
前記第１のスイッチ（ＡＨ）は、前記ブリッジの前記第１の端子（１０５）及び前記第３の端子（１０７）の間で接続され、
前記第２のスイッチ（ＢＨ）は、前記ブリッジの前記第１の端子（１０５）及び前記第４の端子（１０８）の間で接続され、
前記第３のスイッチ（ＡＬ）は、前記ブリッジの前記第３の端子（１０７）及び前記第２の端子（１０６）の間で接続され、
前記第４のスイッチ（ＢＬ）は、前記ブリッジの前記第４の端子（１０８）及び前記第２の端子（１０６）の間で接続されている前記回路において、
この回路は、
−  前記第１（ＡＨ）及び第４（ＢＬ）のスイッチが閉じ、前記第２（ＢＨ）及び第３（ＡＬ）のスイッチが開いている第１の状態、
−  前記第２（ＢＨ）及び第３（ＡＬ）のスイッチが閉じ、前記第１（ＡＨ）及び第４（ＢＬ）のスイッチが開いている第２の状態、
−  以下の２つの状態のうちの少なくとも１つの状態、
○  前記第３（ＡＬ）及び第４（ＢＬ）のスイッチは閉じ、前記第１（ＡＨ）及び第２（ＢＨ）のスイッチは開いている第３の状態、
○  前記第１（ＡＨ）及び第２（ＢＨ）のスイッチは閉じ、前記第３（ＡＬ）及び第４（ＢＬ）のスイッチは開いている第４の状態を取り、
前記パルス幅変調制御手段は、
−  前記第１の状態から、前記第３又は第４の状態のうち少なくとも１つの状態への遷移、
−  前記第２の状態から、前記第３又は第４の状態のうち少なくとも１つの状態への遷移、
−  前記第３又は第４の状態のうち少なくとも１つの状態から、前記第１の状態への遷移、
−  前記第３又は第４の状態のうち少なくとも１つの状態から、前記第２の状態への遷移を許容するようになっていることを特徴とする回路（１００，２００，３０，４００，６００，７００）。
【請求項２】
前記パルス幅変調制御手段は、以下を許可する特性を有する制御回路であって、
−  第１の、いわゆる負の交番フェーズは、前記第１の状態から前記第３の状態への遷移及び前記第３の状態から前記第１の状態への遷移を許容し、前記第１（ＡＨ）及び第３（ＡＬ）のスイッチは、振幅レッグ（Ａ）と呼ばれる第１のレッグを形成し、いわゆるチョッピング周波数で切り替わり、前記第２（ＢＨ）及び第４（ＢＬ）のトランジスタは、符合レッグ（Ｂ）と呼ばれる第２のレッグを形成し、それぞれ閉じておりかつ開いており、
−  第２の、いわゆる正の交番フェーズは、前記第２の状態から前記第４の状態への遷移及び前記第４の状態から前記第２の状態への遷移を許容し、前記第１（ＡＨ）及び第３（ＡＬ）のスイッチは、前記いわゆるチョッピング周波数で切り替わり、前記第２（ＢＨ）及び第４（ＢＬ）のスイッチは、それぞれ開いておりかつ閉じており、前記第２（ＢＨ）及び第４（ＢＬ）のスイッチは、前記符号レッグ（Ｂ）の前記第２（ＢＨ）及び第４（ＢＬ）スイッチを切り替え、これにより、前記チョッピング周波数未満の周波数で前記負及び正の交番間の遷移を確実にするようになっていることを特徴とする、請求項１に記載の制御回路（３００，４００，６００，７００）。
【請求項３】
前記電気制御部材（１１０）及び前記第４端子（１０８）の間に直列接続される分流レジスタ（２０１）を備えることを特徴とする、請求項２に記載の制御回路（４００）。
【請求項４】
演算増幅器（２０２）と、
前記演算増幅器の反転入力、及び非反転入力を形成する前記分流レジスタ（２０１）の端子とを備えることを特徴とする請求項３に記載の制御回路（４００）。
【請求項５】
−  充電した際に、前記第２のスイッチ（ＢＨ）へ制御電圧を供給するのに適したチャージポンプキャパシタ（５０３）と、
−  前記第４のスイッチ（ＢＬ）が閉じた際に前記チャージポンプキャパシタを充電するのに適し、前記第１の電源によって供給される電圧よりも低い電圧を供給する第２の電源（５０１）と、
−  前記チャージポンプキャパシタが前記第２の電源から再充電されるために前記制御回路が正の交番フェーズにあるとき、前記第４の状態から前記第３の状態への遷移を強いる手段とを備えることを特徴とする請求項２〜４のいずれか１項に記載の制御回路（４００）。
【請求項６】
前記制御手段は、
−  負荷サイクルαを有するパルス幅変調信号を生成するための手段（７０１，７０２，７０３）と、
−  前記負荷サイクルαを有する前記パルス幅変調信号を前記第３のトランジスタ（ＡＬ）に適用し、負荷サイクル１−αを有するパルス幅変調信号を前記第１のトランジスタ（ＡＨ）に適用するための手段（７０５，７０６）と、
−  次の状態装置を実装し、前記正及び負の交番フェーズの間を通過するための手段（７０８）とを備え、
前記状態装置は、
○  前記ブリッジが正の交番フェーズにあり、負荷サイクルαが取り消されるとき、前記装置は状態の変化を検出し、負の交番フェーズに変更し、
○  前記ブリッジが負の交番フェーズにあり、負荷サイクルαが１００％に等しいとき、前記装置は状態の変化を検出し、正の交番フェーズに変更するようになっていることを特徴とする、請求項２〜５のいずれか１項に記載の制御回路（７００）。
【請求項７】
前記電源は、ＤＣ電圧＋ＵDCを供給し、
−  前記正の交番フェーズの間、積α×ＵDCと等しい平均電圧を、前記電気制御部材に適用するための手段（７０５）と、
−  前記負の交番フェーズの間、（α―１）×ＵDCと等しい平均電圧を、前記電気制御部材に適用するための手段（７０６）とを備えることを特徴とする、請求項６に記載の制御回路（７００）。
【請求項８】
前記制御手段は、
−  負荷サイクルαを有する前記パルス幅変調信号を生成する手段（８０１，８０２，８０３）と、
−  負荷サイクルαを有する前記パルス幅変調信号を、負荷サイクルα´＝│２α―１│を有するパルス幅変調信号に変換するための手段（８０９）と、
−  負荷サイクルα´を有する前記パルス幅変調信号を、前記第３のトランジスタ（ＡＬ）に適用し、前記正の交番フェーズの間、負荷サイクル１−α´を有するパルス幅変調信号を、前記第１のトランジスタ（ＡＨ）に適用するための手段（８０５）と、
−  負荷サイクル１−α´を有する前記パルス幅変調信号を、前記第３のトランジスタ（ＡＬ）に適用し、前記負の交番フェーズの間、前記負荷サイクルα´を有する前記パルス幅変調信号を、前記第１のトランジスタ（ＡＨ）に適用するための手段（８０６）と、
−  次の状態装置を実装し、前記正及び負の交番フェーズの間を通過するための手段（８０８）とを備え、
前記状態装置は、
○  前記ブリッジが前記正の交番フェーズにあり、前記負荷サイクルαが正確に５０％未満であるとき、前記装置は状態の変化を検出し、前記負の交番フェーズに変更し、
○  前記ブリッジが前記負の交番フェーズにあり、前記負荷サイクルαが５０％以上であるとき、前記装置は状態の変化を検出し、前記正の交番フェーズに変更するようになっていることを特徴とする、請求項２〜５のいずれか1項に記載の制御回路（８００）。
【請求項９】
前記電源は、ＤＣ電圧＋ＵDCを供給し、
積（２α―１）×ＵDCに等しい平均電圧を、前記正及び負の交番フェーズの間、前記電気制御部材に適用するための手段を備えていることを特徴とする、請求項８に記載の制御回路（８００）。
【請求項１０】
負荷サイクルαを有する前記パルス幅変調信号を負荷サイクルα´＝│２α―１│を有する前記パルス幅変調信号に変換するための前記手段は、
−  負荷サイクルが５０％に等しい信号と前記負荷サイクルαの信号との間で減算を実行するための手段と、
−  前記減算によって得られる信号を倍増させるための手段
とを備えることを特徴とする、請求項７又は８に記載の制御回路。
【請求項１１】
負荷サイクルが、５０％に等しい信号と前記負荷サイクルαの信号との間で減算を実行するための前記手段は、それぞれ、前記負荷サイクル５０％の信号及び前記負荷サイクルαの信号である２つの入力を有する排他的論理和論理機能を実行する手段であることを特徴とする、請求項１０に記載の制御回路。
【請求項１２】
前記減算によって得られる信号を倍増させるための手段は、少なくとも１つのカウンタを備えていることを特徴とする、請求項１０又は１１に記載の制御回路。
【請求項１３】
前記制御手段はプログラマブル論理回路に含まれていることを特徴とする、請求項１〜１２のいずれか１項に記載の制御回路。
【請求項１４】
前記スイッチは、ＭＯＳＦＥＴトランジスタであることを特徴とする、請求項１〜１３のいずれか１項に記載の制御回路。
【請求項１５】
請求項１〜１４のいずれか１項に記載の制御回路を使用する方法であって、可変インダクタンスを伴う誘導負荷によって形成されている電気部材用に用いられる使用方法。
【請求項１６】
前記電気部材は、動作部分を有するアクチュエータに含まれ、前記電気部材は、動作部分変位幅を制御することを特徴とする、請求項１５に記載の使用方法。
【請求項１７】
前記アクチュエータは、自動車用の電磁気バルブアクチュエータであることを特徴とする、請求項１６に記載の使用方法。
【手続補正２】
【補正対象書類名】明細書
【補正対象項目名】００２０
【補正方法】変更
【補正の内容】
【００２０】
パルス幅変調制御方法は、次のことを可能としていると有利である。
−  第１の、いわゆる、負の交番フェーズは、第１の状態から第３の状態への遷移、第３の状態から第１へ状態への遷移を許容し、第１及び第３の切り替えは第１のレッグ、いわゆる、振幅レッグを形成し、いわゆる、一定間隔ごとに断続する周波数で切り替わり、第２及び第４のトランジスタは、符号レッグと呼ばれる第２のレッグを形成し、それぞれのレッグは閉じており、開いている。
−  第２の、いわゆる、正の交番フェーズは、第２の状態から第４の状態への遷移、第４の状態から第２への遷移を許容し、第１及び第３のスイッチは、いわゆる、一定間隔ごとに断続する周波数で切り替わり、第２（ＢＨ）及び第４（ＢＬ）のスイッチは、それぞれ開いておりかつ閉じており、前記第２（ＢＨ）及び第４（ＢＬ）のスイッチも同様に切り替わり、符号レッグの第２及び第４のスイッチの切り替えは、一定間隔ごとに断続する周波数未満の周波数において、負及び正の交番間の遷移を確実にする。